(57)【要約】【課題】  サイズの異なるプリンター用写真用紙を一つの収納ケースにサイズ毎に分けて整理して収納出来る。【解決手段】  プリンター用写真用紙収納ケース内にプリンター用写真用紙サイズに合わせた間仕切りを設けさらに小サイズ用の内ケースを組み合わせＡ４サイズ、２Ｌ版、ハガキ版、Ｌ版が一つのプリンター用写真用収納ケースに収納出来る。【選択図】図１
0003154451.tif 000002
【実用新案登録請求の範囲】
【請求項１】
プリンター用写真用紙収納ケース内にプリンター写真用紙サイズに合わせた間仕切りを設け、さらに小サイズ用の内ケースを組み合わせた構成を特徴とするプリンター用写真用紙収納ケースである。
【請求項２】
プリンター用写真用紙収納ケースの素材は紙を使用し、蓋無しの組み立てタイプで、収納しているプリンター用写真用紙の出し入れが容易で、省資源を特徴とするプリンター用写真用紙収納ケースである。
【請求項３】
プリンター用写真用紙収納ケースの素材は紙を使用し、蓋一体式組み立てタイプと蓋別体式貼り箱タイプで、遮光性を有しプリンター用写真用紙を包装袋から出し直接収納することが出来ることを特徴とするプリンター用写真用紙収納ケースである。
【請求項４】
プリンター用写真用紙収納ケースの素材は透過性のある樹脂を使用した組み立てタイプで、収納しているプリンター用写真用紙を外から全て見ることが出来ることを特徴とするプリンター用写真用紙収納ケースである。
【考案の詳細な説明】
【技術分野】
【０００１】  この考案は、サイズの異なるプリンター用写真用紙をそれぞれ分けて一つの収納ケースに収納出来るプリンター用写真用紙収納ケースに関する。
【背景技術】
【０００２】  プリンター用写真用紙にはＡ３，Ａ４，２Ｌ，はがき、Ｌ、等サイズの異なる用紙があり各サイズをまとめて一つのケースに収納する時に効率よく収納出来ない。
【考案の開示】
【考案が解決しようとする課題】
【０００３】  そこで、この考案は、一つのプリンター用写真用紙収納ケースの中にそれぞれの異なるプリンター用写真用紙の収納スペースを設ける事を課題とする。
【課題を解決するための手段】
【０００４】  以上の課題を解決するために、第一考案は、プリンター用写真用紙収納ケース内にプリンター写真用紙サイズに合わせた間仕切りを設け、さらに小サイズ用の内ケースを組み合わせた構成を特徴とするプリンター用写真用紙収納ケースである。第二考案は、プリンター用写真用紙収納ケースの素材は紙を使用し、蓋無しの組み立てタイプで、収納しているプリンター用写真用紙の出し入れが容易で、省資源を特徴とするプリンター用写真用紙収納ケースである。第三考案は、プリンター用写真用紙収納ケースの素材は紙を使用し、蓋一体式組み立てタイプと蓋別体式貼り箱タイプで、遮光性を有しプリンター用写真用紙を包装袋から出し直接収納することが出来ることを特徴とするプリンター用写真用紙収納ケースである。第四考案は、プリンター用写真用紙収納ケースの素材は透過性のある樹脂を使用した組み立てタイプで、収納しているプリンター用写真用紙を外から全て見ることが出来ることを特徴とするプリンター用写真用紙収納ケースである。
【考案の効果】
【０００５】  第一考案、によれば、サイズの異なるプリンター用写真用紙をサイズごとに分けて一つの収納ケースに収納出来る。
第二考案、によれば、組み立てタイプなので、運搬する時小スペースで、蓋が無いので省資源、プリンター用写真用紙の出し入れが易いである。
第三考案、によれば、遮光性を有しているので、プリンター用写真用紙を包装袋から出し収納可能である。
第四考案、によれば、組み立てタイプなので、運搬する時小スペースで、透過性のある素材を使用することで、ケースの中に何が入っているか外から確認出来る。
【図面の簡単な説明】
【０００６】
【図１】斜視図  素材は紙を使用し、蓋無しの組み立てタイプである。
【図２】斜視図  素材は紙を使用し、蓋一体式組み立てタイプと、蓋別体式貼り箱タイプである。
【図３】斜視図  素材は透過性のある樹脂を使用した蓋付き組み立てタイプである。
【考案を実施するための最良の形態】
【０００７】  この考案の一実施形態を、〔図１〕〜〔図３〕に示す。
〔図１〕の（Ａ）はプリンター用写真用紙収納ケースに内ケースを組み合わせた完成図（Ｂ）は内ケースをプリンター用写真用紙収納ケースから取り出した図  （Ｃ）はプリンター用写真用紙ケースと内ケースの仕切り構造と内ケースのふたを開けた図
（１）仕切り（２）仕切り（３）仕切り（４）Ａ４プリンター用写真用紙収納スペース（５）２Ｌ判のプリンター用写真用紙を収納するスペース（６）内ケース収納スペース（７）ハガキ版プリンター用写真用紙収納スペース（８）Ｌ判のプリンター用写真用紙収納スペース
〔図２〕の（ａ）は組み立てタイプの蓋を閉めた図（ｂ）は蓋を開けた図（ｃ）は貼り箱タイプの蓋を閉めた図（ｄ）は蓋を開けた図
〔図３〕の（ａ）は蓋を閉めた図（ｂ）は蓋を開けた図
【実施例】
【０００８】  サイズの異なるプリンター用写真用紙を、一つのプリンター用写真用紙収納ケース内にそれぞれのサイズに合わせた収納スペースを作ることにより、効率よく収納が出来、出し入れも容易である。
【符号の説明】
【０００９】  （１）仕切り（２）仕切り（３）仕切り（４）Ａ４プリンター用写真用紙収納スペース（５）２Ｌ版プリンター用写真用紙収納スペース（６）内ケース収納スペース（７）ハガキ版プリンター用写真用紙収納スペース（８）Ｌ版プリンター用写真用紙収納スペース
【図１】
0003154451.tif 000003
【図２】
0003154451.tif 000004
【図３】
0003154451.tif 000005
【手続補正書】
【提出日】平成21年7月16日(2009.7.16)
【手続補正１】
【補正対象書類名】明細書
【補正対象項目名】全文
【補正方法】変更
【補正の内容】
【考案の詳細な説明】
【技術分野】
【０００１】  この考案は、サイズの異なるプリンター用写真用紙をそれぞれ分けて一つの収納ケースに収納出来るプリンター用写真用紙収納ケースに関する。
【背景技術】
【０００２】  プリンター用写真用紙にはＡ３，Ａ４，２Ｌ，はがき、Ｌ、等サイズの異なる用紙があり各サイズをまとめて一つのケースに収納する時に効率よく収納出来ない。
【考案の開示】
【考案が解決しようとする課題】
【０００３】  そこで、この考案は、一つのプリンター用写真用紙収納ケースの中にそれぞれ大きさの異なるプリンター用写真用紙の収納スペースを設ける事を課題とする。
【課題を解決するための手段】
【０００４】  以上の課題を解決するために、第一考案は、サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた紙製の組み立て式でふた無しの構成を特徴とするプリンター用写真用紙収納ケース。第二考案は、サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた紙製の組み立て式で本体と一体のふたの付いた構成を特徴とするプリンター用写真用紙収納ケース。第三考案は、サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた紙製の本体と別体のふたの付いた構成を特徴とするプリンター用写真用紙収納ケース。第四考案は、サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた透過性のある樹脂素材を使用した組み立て式ふた付きの構成を特徴とするプリンター用写真用紙収納ケース。
【考案の効果】
【０００５】  第一考案、によれば、組み立て式で、運搬する際小スペース、ふたが無いので省資源、プリンター用写真用紙の出し入れが易いである。
第二考案、によれば、組み立て式で、運搬する際小スペース、ふたが付いているので遮光性が有りプリンター用写真用紙を包装袋から出し収納可能である。
第三考案、によれば、貼り箱式で、ふたが付いているので遮光性が有りプリンター用写真用紙を包装袋から出し収納可能である。
第四考案、によれば、組み立て式なので、運搬する際小スペース、透過性のある素材を使用することで、ケースの中が外から確認出来る。
【図面の簡単な説明】
【０００６】
【図１】この一実施形態を示す  （Ａ）はプリンター用写真用紙収納ケース  （Ｂ）ははがきサイズ、Ｌサイズを収納する内ケース。
【図２】プリンター用写真収納ケースと内ケースの組立工程図。
【図３】この考案のバリエーション。紙製の組み立て式、ふた一体式。
【図４】この考案のバリエーション。紙製の貼り箱式、ふた別体式。
【図５】この考案のバリエーション。透過性のある樹脂素材の組み立て式、ふた一体式。
【考案を実施するための最良の形態】
【０００７】  この考案の一実施形態を、〔図１〕〜〔図５〕に示す。
〔図１〕の（Ａ）はプリンター用写真用紙収納ケース（１）Ａ４プリンター用写真用紙収納スペース（２）２Ｌプリンター用写真用紙収納スペース（３）内ケース収納スペース（４）仕切り（５）仕切り
（Ｂ）は内ケース（６）はがきプリンター用写真用紙収納スペース（７）Ｌ写真用紙収納スペース（８）仕切り
〔図２〕のａ−１はプリンター用写真用紙収納ケースが折畳まれた図。
ａ−２はプリンター用写真用紙収納ケースを組み立てる過程の図。
ａ−３はプリンター用写真用紙収納ケースを組み立てた図。ｂ−１は内ケースが折畳まれた図。ｂ−２は内ケースを組み立てる過程の図。ｂ−３は内ケースを組み立てた図。ａ−ｂは組み立てたプリンター用写真用紙収納ケースに組み立てた内ケースを収納した完成図。
〔図３〕の（ａ）はプリンター用写真用紙収納ケースが折畳まれた図。
（ｂ）は内ケースが折畳まれた図。（ｃ）はプリンター用写真用紙収納ケースのふたを閉めた図。（ｄ）はプリンター用写真用紙収納ケースのふたを開けた図。
〔図４〕の（ａ）はプリンター用写真用紙収納ケースが折畳まれた図。
（ｂ）は内ケースが折畳まれている図。（ｃ）はプリンター用写真用紙収納ケースのふたを閉めた図。（ｄ）はプリンター用写真用紙収納ケースのふたを開けた図。
【実施例】
【０００８】  サイズの異なるプリンター用写真用紙を、一つのプリンター用写真用紙収納ケース内にそれぞれのサイズに合わせた収納スペースを作ることにより、効率よく収納が出来、出し入れも容易である。
【符号の説明】
【０００９】  （１）Ａ４プリンター用写真用紙収納スペース（２）２Ｌプリンター用写真用紙収納スペース（３）内ケース収納スペース（４）仕切り（５）仕切り（６）はがきプリンター用写真用紙収納スペース（７）Ｌプリンター用写真用紙収納スペース（８）仕切り
【手続補正２】
【補正対象書類名】実用新案登録請求の範囲
【補正対象項目名】全文
【補正方法】変更
【補正の内容】
【実用新案登録請求の範囲】
【請求項１】
サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた紙製の組み立て式でふた無しの構成を特徴とするプリンター用写真用紙収納ケース。
【請求項２】
サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた紙製の組み立て式で本体と一体のふたの付いた構成を特徴とするプリンター用写真用紙収納ケース。
【請求項３】
サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた紙製の本体と別体のふたの付いた構成を特徴とするプリンター用写真用紙収納ケース。
【請求項４】
サイズの異なるプリンター用写真用紙を一つの収納ケースに収納するためにＡ４サイズ、２Ｌサイズと、はがきサイズ、Ｌサイズを収納する内ケースとをそれぞれ分けて収納する為の仕切りを組み合わせた透過性のある樹脂素材を使用した組み立て式ふた付きの構成を特徴とするプリンター用写真用紙収納ケース。
【手続補正３】
【補正対象書類名】図面
【補正対象項目名】全図
【補正方法】変更
【補正の内容】
【図１】
0003154451.tif 000006
【図２】
0003154451.tif 000007
【図３】
0003154451.tif 000008
【図４】
0003154451.tif 000009
【図５】
0003154451.tif 000010